(57)【特許請求の範囲】
【請求項１】
複数種類のデータを処理する情報処理装置であって、
上記データが画像データの場合には処理した画像を、上記データが画像データでない場合には該データに関する情報を、それぞれ複数の第１の表示領域に表示し、上記複数種類のデータに対するユーザからの複数の処理命令に応じた複数のボタン表示を上記複数種類のデータに共通のユーザインターフェース画面である第２の表示領域に表示する表示手段と、
上記複数の第１の表示領域および第２の表示領域に対するユーザによるカーソル移動操作およびクリック操作を入力する入力手段と、
上記入力手段により入力された操作が第２の表示領域を始点とし、第１の表示領域を終点とするカーソル移動操作であった場合に、該第１の表示領域に対応する上記データを制御対象と判別する第１の判別手段と、
上記入力手段により入力された操作により指定された上記ボタン表示に対応する処理命令を判別する第２の判別手段と、
上記第１の判別手段により制御対象と判別されたデータに、制御対象を切り換える切換え手段と、
上記第２の判別手段により判別された処理命令に基づいて、上記切り替え手段により制御対象として切り替えられたデータを制御する制御手段と
を有する情報処理装置
【請求項２】
複数種類のデータを処理する情報処理方法であって、
上記データが画像データの場合には処理した画像を、上記データが画像データでない場合には該データに関する情報を、それぞれ複数の第１の表示領域に表示し、上記複数種類のデータに対するユーザからの複数の処理命令に応じた複数のボタン表示を上記複数種類のデータに共通のユーザインターフェース画面である第２の表示領域に表示するステップと、
第２の表示領域を始点とし、第１の表示領域を終点とするカーソル移動操作により、該第１の表示領域に対応する上記データを制御対象と判別するステップと、
クリック操作により指定された上記ボタン表示に対応する処理命令を判別するステップと、
制御対象と判別された上記データに、制御対象を切り換えるステップと、
判別された上記処理命令に基づいて、制御対象として切り替えられた上記データを制御するステップと
を有する情報処理方法。
【発明の詳細な説明】
【０００１】
【産業上の利用分野】
本発明は画像データ、音声データ等の異なる性質を有するデータを同一の計算機で取り扱う情報処理装置に関する。
【０００２】
【従来の技術】
単一の計算機上で、静止画データ、動画データ、音声データ、および、文字（テキスト）データ等の性質の異なるデータの処理を、利用者（ユーザー）と該計算機の対話形式の操作により行う情報処理装置、いわゆるマルチメディアデータ処理装置においては、一般に従来それぞれのデータに個別に設けられたユーザーインターフェースを用いて操作が行われる。
図７は、マルチメディアデータ処理装置に表示される画像とユーザーインターフェースの例を示す図である。
従来の技術として示すマルチメディアデータ処理装置はいわゆるウィンドウシステムを使用し、複数のデータ処理プロセスが同一計算機上で独立して同時に動作するように構成されている。
各データ処理プロセスに関する表示内容がそれぞれに対応する該計算機の表示装置上のウィンドウに表示され、それぞれのウィンドウに表示されたユーザーインターフェースに表示される指示ボタンをマウスによってクリックし、各データ処理プロセスに指示を与える。
【０００３】
図７において、ウィンドウ５０は、動画データ処理プロセスに関する表示が行われるウィンドウである。
この動画データ処理プロセスは、動画データを利用者からの指示に従って処理し、動画５１として表示するものである。
ウィンドウ５０には、動画データ５１が表示されるとともに、動画データ処理プロセスに対する、動画データの早送り、順方向送り、逆方向送り、逆方向への早送り、および、停止といった操作指示を行うためのユーザーインターフェース５２が表示される。
【０００４】
ウィンドウ５３は、音声データ処理プロセスに関する表示が行われるウィンドウである。
この音声データ処理プロセスは、利用者の指示に従ってディジタル形式の音声データを処理し、その波形５４をウィンドウ５３に表示するとともに、その音声データを計算機に備えられたディジタル／アナログ（Ｄ／Ａ）コンバータによりアナログ音声としてスピーカー等から出力するものである。
ウィンドウ５３には、波形５４が表示されるとともに、動画データ処理プロセスに対する、動画データの早送り、順方向送り、逆方向送り、逆方向への早送り、および、停止といった操作指示を行うためのユーザーインターフェース５５が表示される。
【０００５】
以下、上記マルチメディアデータ処理装置の動作、および、ユーザーインターフェース５２、５５を用いた各データ処理プロセスに対する操作を説明する。
動画データ処理プロセスはその起動後、計算機のキーボード等から入力される指示に従って計算機に接続される映像機器、例えばディジタルＶＴＲ装置から動画像データを読み出し、その内容を動画５１としてウィンドウ５０に表示する。利用者は、ウィンドウ５０に表示されるユーザーインターフェース５２の所望のボタンを、計算機のマウスによりクリックし、画像の早送り等の指示情報の入力を行う。
動画データ処理プロセスは入力された指示情報に従って映像機器を制御し、該映像機器からのデータを順次ウィンドウ５０に動画５１として表示する。
【０００６】
音声データ処理プロセスはその起動後、計算機のキーボード等から入力される指示に従って計算機に接続される音声処理機器、例えばディジタルテープレコーダから音声データを読み出し、その内容を波形５４としてウィンドウ５３に表示する。
利用者は、ウィンドウ５３に表示されるユーザーインターフェース５５の所望のボタンを、計算機のマウスによりクリックし、音声の早送り等の指示情報の入力を行う。
音声データ処理プロセスは入力された指示情報に従って音声処理機器を制御し、該音声処理機器からのデータを順次ウィンドウ５３に波形５４として表示するとともに、計算機に接続されたＤ／Ａコンバータ等を介して音声として出力する。
上述した他、各データ処理プロセスに指示情報を与える方法として、計算機に各データ処理装置にそれぞれ対応するボタンスイッチ等の指示情報入力手段を設ける、あるいは、計算機のキーボードから各データ処理プロセスに固有のコマンドを入力する等の方法がある。
【０００７】
【発明が解決しようとする課題】
上述したように、マルチメディアデータ処理装置においては、各データ処理プロセスに指示情報を入力するために、各データ処理プロセス対応のユーザーインターフェースを表示する必要があった。
この場合、マルチメディアデータ処理装置の表示装置の画面上に各データ処理プロセスの処理内容を表示する他、それぞれのユーザーインターフェースを各ウィンドウに表示する必要があり、該画面の実効的な使用効率が低下するという問題がある。
つまり、各データ処理プロセスごとにあまり違いのないユーザーインターフェースを画面上に表示する必要があるので、データ処理に本来的に必要なデータ処理プロセスの処理そのものに関する表示の他にユーザーインターフェースに画面面積を割く必要があり、それぞれのウィンドウの面積がその分大きくなってしまう。
このため、マルチメディアデータ処理装置が同時に取り扱うデータ処理プロセスの数が多くなると、ウィンドウを重なり合わせて表示する必要が生じる等の不具合が生じ、操作性に問題が生じることになる。
【０００８】
また、キーボードから各データ処理プロセス対応の指示情報を入力する方法によれば、各データ処理プロセス対応のユーザーインターフェースの表示を省略することができるものの、利用者は各データ処理プロセスごとに異なる指示情報の入力手順を覚えなければならず、やはり操作性、利用の簡便性等に問題が生じることになる。
また、マルチメディアデータ処理装置にそれぞれのデータマルチメディアデータ処理装置に対応するボタンスイッチ等を付加して指示情報の入力を行う方法においては、付加するボタンスイッチ等のハードウェアの量が実行されるデータ処理プロセス数とともに増加するという問題がある。
またこの場合、マルチメディアデータ処理装置へのデータ処理プロセスの増設はハードウェアの増設を伴うことになり、データ処理機能の増設が難しくなるという問題がある。
【０００９】
本発明の情報処理装置は、以上述べた従来技術の問題点に鑑みてなされたものであり、各データ処理プロセスが必要とする表示装置の画面上の占有面積を小さくすることが可能であり、従ってより多くのデータ処理プロセスの表示を行うことが可能な情報処理装置を提供することを目的とする。
また、同時に動作する複数のデータ処理プロセスに対して共通の操作で各プロセスに対して指示情報を入力することができ、従って各プロセスに固有の操作を覚える必要がなく、操作性がよく、利用の簡便な情報処理装置を提供することを別の目的とする。
また、データ処理機能の追加に伴うハードウェアの増設が不要であり、機能追加の容易な情報処理装置を提供することを更に別の目的とする。
【００１０】
【課題を解決するための手段】
上記目的を達成するために本発明の情報処理装置は、複数種類のデータを処理する情報処理装置であって、上記データが画像データの場合には処理した画像を、上記データが画像データでない場合には該データに関する情報を、それぞれ複数の第１の表示領域に表示し、上記複数種類のデータに対するユーザからの複数の処理命令に応じた複数のボタン表示を上記複数種類のデータに共通のユーザインターフェース画面である第２の表示領域に表示する表示手段と、上記複数の第１の表示領域および第２の表示領域に対するユーザによるカーソル移動操作およびクリック操作を入力する入力手段と、上記入力手段により入力された操作が第２の表示領域を始点とし、第１の表示領域を終点とするカーソル移動操作であった場合に、該第１の表示領域に対応する上記データを制御対象と判別する第１の判別手段と、上記入力手段により入力された操作により指定された上記ボタン表示に対応する処理命令を判別する第２の判別手段と、上記第１の判別手段により制御対象と判別されたデータに、制御対象を切り換える切換え手段と、上記第２の判別手段により判別された処理命令に基づいて、上記切り替え手段により制御対象として切り替えられたデータを制御する制御手段とを有する。
【００１１】
【作用】
情報処理装置の表示装置の画面に、該装置上で独立に、かつ、並行して動作するデータ処理プロセスに共通のユーザーインターフェースを表示し、利用者はこのユーザーインターフェースから各データ処理プロセスに対する指示情報の入力を行う。
前記ユーザーインターフェースから入力された指示情報は、マルチメディアデータ処理装置上で動作中の複数のデータ処理プロセスの一つと対応付けられ、対応付けられたデータ処理プロセスに入力される。
この指示情報が入力されたデータ処理プロセスは、その情報に従ってデータ処理を行う。
【００１２】
【実施例】
以下、本発明の情報処理装置の実施例を説明する。
本発明の情報処理装置１上では、例えば映像機器１１を制御し、映像機器１１の動画データを編集する動画データ処理プロセス６１、および、オーディオ機器１２を制御して音声データを編集する音声データプロセス６２がそれぞれ独立して動作する。
なお、情報処理装置１で動作するデータ処理プロセスとしては、これら２つのデータ処理プロセスに限らず、例えば測定データの解析を行う処理プロセス等をさらに加えてもよい。
図１は、本発明の実施例としての情報処理装置１の構成を示す図である。
図１において、計算機１０は、複数のプロセスを同時に独立して実行可能であって、各プロセスの処理内容等を表示装置（ＣＲＴ）２１の画面のウィンドウ内に表示するウィンドウシステム６０を有する計算機である。
また、計算機１０は、一般的な計算機としての機能の他、映像機器１１およびオーディオ機器１２とのデータの送受信およびこれらに対する制御を行うためのインターフェース、および、音声データを音声信号としてスピーカ２２から出力するためのインターフェース等を有している。
【００１３】
映像機器１１は、例えばディジタルＶＴＲ装置、あるいは、光ディスク等に記録された画像データを計算機１０からの制御に従って記録再生する機器であり、計算機１０との画像データの入出力を行う。
オーディオ機器１２は、例えばコンパクトディスクプレーヤ、あるいは、ディジタルオーディオテープレコーダー等の音声データを、計算機１０の制御に従って記録再生する機器であり、計算機１０との音声データの入出力を行う。
情報処理装置１に接続される機器としては、以上に述べた映像機器１１およびオーディオ機器１２に限らず、例えば各種測定データを記録するデータレコーダ等が接続されてもよい。
【００１４】
マウス１３は、データ入力に使用される装置であり、情報処理装置１に対する指示情報の入力に使用される。
マウス１３による指示情報の入力は、表示装置２１の画面３に表示されるユーザーインターフェース３３の所定の位置にカーソル４０で示し、マウス１３に配設されたボタンを押下（クリック）することにより行われる。
キーボード１４は、計算機１０に各種情報を入力するための、一般的なキーボード装置である。
表示装置２１は、例えばＣＲＴディスプレイであり、計算機１０上で動作する各データ処理プロセスの処理内容の表示を行う。
スピーカ２２は、計算機１０から出力される音声信号を出力する。
二次記憶装置２３は、例えばハードディスク装置等の記憶装置であり、計算機１０と各種データの入出力を行う。
【００１５】
図２は、表示装置２１に表示される画面を示す図である。
表示装置２１には、動画データ処理プロセス６１の処理内容を表示するウィンドウ３１、音声データ処理プロセス６２の処理内容を示すウィンドウ３２、および、これらに指示情報を入力するために使用されるユーザーインターフェース３３が表示されている。
表示装置２１に表示されるウィンドウは、情報処理装置１上で動作するデータ処理プロセスに応じて増設される。
ボタン表示３４〜３８は、それぞれ動画データおよび音声データの早送り、順方向再生、逆方向再生、逆方向早送り、再生停止を各データ処理プロセスに指示するためのボタン表示である。
利用者はマウス１３の操作によりカーソル４０を移動させ、所定の位置でマウス１３のボタンをクリックして、ユーザーインターフェース３３と、動画データ処理プロセス６１または音声データ処理プロセス６２のいずれかを対応付ける。
さらにボタン表示３４〜３８をマウス１３でクリックすることにより、操作情報をユーザーインターフェース３３と対応付けられたデータ処理プロセスに入力する。
【００１６】
図３は、情報処理装置１のソフトウェア構成を示す図である。
図３において、ウィンドウシステム６０は、動画データ処理プロセス６１、音声データ処理プロセス６２、および、ユーザーインターフェース処理プロセス６４を個別に動作させつつ、表示装置２１に表示したウィンドウ内にそれぞれの処理内容等を表示する。
動画データ処理プロセス６１は、上述のような動画データ処理を行うソフトウェアである。
動画データ処理プロセス６１の処理内容はウィンドウ３１に表示される。
音声データ処理プロセス６２は、上述のような音声データ処理を行うソフトウェアである。
音声データ処理プロセス６２の処理内容はウィンドウ３２に表示される。
スイッチ手段６３は、上述したユーザーインターフェース３３と動画データ処理プロセス６１または音声データ処理プロセス６２の対応付けを実現するプログラムである。
ユーザーインターフェース処理プロセス６４は、マウス１３の操作により入力される指示情報を動画データ処理プロセス６１または音声データ処理プロセス６２に対する命令に変換して、切り換え手段６３を介してこれらのデータ処理プロセス６２のいずれかに対して入力する。
なお、スイッチ手段６３はユーザーインターフェース処理プロセス６４と一体のソフトウェアとしてもよい。
以上の各ソフトウェアが協働して情報処理装置１の機能を実現する。
【００１７】
以下、情報処理装置１の動作を説明する。
情報処理装置１において、利用者はキーボード１４を操作して動画データ処理プロセス６１および音声データ処理プロセス６２を起動する。
動画データ処理プロセス６１または音声データ処理プロセス６２の起動により、ウィンドウ３１、３２とともにユーザーインターフェース３３が表示される。
利用者は、マウス１３の操作によりカーソル４０をウィンドウ３１に移動させクリックし、キーボード１４からの入力により動画データ処理プロセス６１の処理の対象となる動画データを指定する。
また、音声データ処理プロセス６２についても同様の操作により処理の対象となる音声データの指定を行う。
【００１８】
次に、利用者はウィンドウ３１またはウィンドウ３２とユーザーインターフェース３３との対応付けを行う。
この操作は、例えば利用者がマウス１３のボタンを押下したままカーソル４０をユーザーインターフェース３３からウィンドウ３１またはウィンドウ３２に移動させ、ボタンの押下を止めることにより行われる。
つまり、ユーザーインターフェース３３からウィンドウ３２にカーソル４０を移動させてマウス１３のボタンの押下を止めることにより、切り換え手段６３により図２中にａの実線の矢印で示すようにユーザーインターフェース３３とウィンドウ３２が切り換え手段６３の処理により対応付けられる。
この処理により、ユーザーインターフェース３３の表示をマウス１３でクリックすることにより指定される指示情報が、ユーザーインターフェース処理プロセス６４および切り換え手段６３の処理により音声データ処理プロセス６２に入力されるようになる。
【００１９】
反対に、ウィンドウ３１にカーソル４０を移動させてマウス１３のボタンの押下を止めることにより、切り換え手段６３により図２中にｂの点線の矢印で示すようにユーザーインターフェース３３とウィンドウ３１が対応付けられる。
この処理により、ユーザーインターフェース３３の表示をマウス１３でクリックすることにより指定される指示情報が、ユーザーインターフェース処理プロセス６４および切り換え手段６３の処理により動画データ処理プロセス６１に入力されるようになる。
なお、上記マウス１３の操作に伴い、図２に示した矢印ａまたは矢印ｂを実際に表示するように構成してもよい。
【００２０】
以下、ユーザーインターフェース３３とウィンドウ３２を対応付けて音声データ処理プロセス６２に指示情報を入力して操作を行う場合を説明する。
上述した音声データの指定、および、対応付けが終了した後、利用者はボタン表示３４〜３８をクリックすることにより、音声データ処理プロセス６２を操作する。
ボタン表示３４がクリックされた場合、情報処理装置１はオーディオ機器１２を操作して、通常より速いデータ速度で順方向にオーディオ機器１２に音声データを出力させ、この音声データを取り込む。
ボタン表示３５がクリックされた場合、情報処理装置１はオーディオ機器１２を操作して、通常のデータ速度で順方向にオーディオ機器１２に音声データを出力させ、この音声データを取り込む。
ボタン表示３６がクリックされた場合、情報処理装置１はオーディオ機器１２を操作して、通常のデータ速度で逆方向にオーディオ機器１２に音声データを出力させ、この音声データを取り込む。
ボタン表示３７がクリックされた場合、情報処理装置１はオーディオ機器１２を操作して、通常より速いデータ速度で逆方向にオーディオ機器１２に音声データを出力させ、この音声データを取り込む。
以上の操作により情報処理装置１に取り込まれた音声データは、取り込まれたデータ速度および方向のままその波形がウィンドウ３２に表示され、また、スピーカ２２を介して音声として出力される。
なお、例えば取り扱う音声が音楽である場合等はウィンドウ３２には音声波形ではなく、曲名、作曲者等のその音楽に関するデータを表示するように構成してもよい。
ボタン表示３８がクリックされた場合、情報処理装置１はオーディオ機器１２を操作してデータの再生を停止させる。
情報処理装置１の利用者は、以上のようにオーディオ機器１２を制御して音声データを正逆方向に速度を変更して再生させ、該音声データに対応する音を聞きながら、例えばキーボード操作による指示を行って音声データを二次記憶装置２３、あるいは、オーディオ機器１２に記録させることにより音声データの編集を行う。
【００２１】
以下、ユーザーインターフェース３３とウィンドウ３１を対応付けて動画データ処理プロセス６１に指示情報を入力して操作を行う場合を説明する。
上述した動画データの指定、および、対応付けが終了した後、利用者はボタン表示３４〜３８をクリックすることにより、動画データ処理プロセス６１を操作する。
ボタン表示３４がクリックされた場合、情報処理装置１は映像機器１１を操作して、通常より速いデータ速度で順方向に映像機器１１に動画データを出力させ、この動画データを取り込む。
ボタン表示３５がクリックされた場合、情報処理装置１は映像機器１１を操作して、通常のデータ速度で順方向に映像機器１１に動画データを出力させ、この動画データを取り込む。
ボタン表示３６がクリックされた場合、情報処理装置１は映像機器１１を操作して、通常のデータ速度で逆方向に映像機器１１に動画データを出力させ、この動画データを取り込む。
ボタン表示３７がクリックされた場合、情報処理装置１は映像機器１１を操作して、通常より速いデータ速度で逆方向に映像機器１１に動画データを出力させ、この動画データを取り込む。
以上の操作により情報処理装置１に取り込まれた動画データは、取り込まれたデータ速度および方向のままウィンドウ３１に表示される。
ボタン表示３８がクリックされた場合、情報処理装置１は映像機器１１を操作してデータの再生を停止させる。
情報処理装置１の利用者は、以上のように映像機器１１を制御して動画データを正逆方向に速度を変更して再生させ、例えばキーボード操作による指示を行ってこの動画データを二次記憶装置２３、あるいは、映像機器１１に記録させることにより動画データの編集を行う。
情報処理装置１を以上のように構成することにより、利用者は各データ処理プロセスに対する操作を対話形式で行うことができる。
また、各データ処理プロセスに共通した１のユーザーインターフェースを使用することにより各データ処理プロセスに対する操作を一括して行うことが可能となり、画面の表示効率が向上する。
【００２２】
以下、情報処理装置１の動作および操作を図４〜図６を参照して説明する。
図４は、各データ処理プロセスとユーザーインターフェースの対応付け処理を示すフローチャートである。
図４のステップ３１（Ｓ３１）において、利用者は上述した手順により、ユーザーインターフェース３３とウィンドウ３１またはウィンドウ３２の対応付けを行う。
マウス１３により入力された対応付けに関する情報は、切り換え手段６３に入力される。
切り換え手段６３はこの情報に従って、これ以降にマウス１３により入力され、ユーザーインターフェース処理プロセス６４で命令に変換された指示情報を切り換えて動画データ処理プロセス６１または音声データ処理プロセス６２の内のいずれか一方に入力する。
ステップ３２（Ｓ３２）において、スイッチ手段６３は、指示情報の入力があるたびに、ユーザーインターフェース３３からの指示情報を対応するデータ処理プロセスに入力する。
【００２３】
図５は、ユーザーインターフェース３３に対する指示情報入力処理を示すフローチャートである。
ステップ４１（Ｓ４１）において、利用者はマウス１３により、カーソル４０をユーザーインターフェース３３のボタン表示３４〜３８上に移動させる。
ステップ４２（Ｓ４２）において、利用者はマウス１３のボタン表示３４〜３８のいずれかをクリックする。
この操作により、クリックされたボタン表示に対応する指示情報がユーザーインターフェース処理プロセス６４により命令に変換され、スイッチ手段６３を介して動画データ処理プロセス６１または音声データ処理プロセス６２に入力する。
この指示情報を受けたデータ処理プロセスは、その指示に従った処理を行う。
【００２４】
図６は、ユーザーインターフェース３３とウィンドウ３１、３２の対応付けを行う際の操作を示すフローチャートである。
ステップ５１（Ｓ５１）において、利用者はマウス１３を操作して、カーソル４０を図２に示す矢印の端に移動させる。
ステップ５２（Ｓ５２）において、利用者はマウス１３のボタンを押下する。
ステップ５３（Ｓ５３）において、利用者はマウス１３のボタンを押下したままカーソル４０を移動させ、制御対象のウィンドウ（図２に示す矢印の先端）に移動する。
ステップ５４（Ｓ５４）において、利用者はキーボード１４のボタンを放す。
以上の操作により、移動する前のカーソル４０の位置および移動後のカーソル４０の位置がスイッチ手段６３により判断され、ユーザーインターフェース３３とウィンドウ３１、３２の対応付けが行われる。
なお、動画データおよび音声データの早送りは、データ速度の変更なしに、例えば動画にあってはコマ落とし等の方法により行ってもよい。
また、以上述べた情報処理装置１の操作は例示である。
以上述べた他本発明の情報処理装置は、例えば実施例中に変形例として示したように構成する、あるいは、３種類以上のデータ処理プロセスを扱うように構成する等、種々の構成が可能である。
【００２５】
【発明の効果】
以上述べたように本発明情報処理装置によれば、各データ処理プロセスごとにユーザーインターフェースの表示を行わなくてよいので、各データ処理プロセスの占有面積を小さくすることができ、これらの表示を見やすくすることが可能である。
また、同時に動作する複数のデータ処理プロセスに対して共通の操作で各プロセスに対して指示情報を入力することができ、操作性を向上させることが可能である。
また、データ処理機能の追加に伴うハードウェアの増設が不要であり、機能追加の容易である。
さらに、複数の操作対象について単一の操作方法により指示を与えることが可能であるため、単一の操作方法を習得するのみで複数の操作対象を操作可能である。
すなわち、従来のように操作対象によって微妙に異なる操作方法を一々習得する必要がなく、装置の使用の簡便性を増すことが可能である。
【図面の簡単な説明】
【図１】本発明の実施例としての情報処理装置の構成を示す図である。
【図２】図１に示す表示装置に表示される画面を示す図である。
【図３】図１に示す情報処理装置のソフトウェア構成を示す図である。
【図４】本発明の情報処理装置における各データ処理プロセスとユーザーインターフェースの対応付け処理を示すフローチャートである。
【図５】本発明の情報処理装置におけるユーザーインターフェースと各ウィンドウの対応付けを行う際の操作を示すフローチャートである。
【図６】本発明の情報処理装置におけるユーザーインターフェースに対する指示情報入力処理を示すフローチャートである。
【図７】マルチメディアデータ処理装置に表示される画像とユーザーインターフェースの例を示す図である。
【符号の説明】
１・・・情報処理装置、１０・・・計算機、１１・・・映像機器、１２・・・オーディオ機器、１３・・・マウス、１４・・・キーボード、１５・・・サーボコントロール回路、２１・・・表示装置、２２・・・スピーカ、２３・・・二次記憶装置、３・・・画面、３１，３２・・・ウィンドウ、３３・・・ユーザーインターフェース、３４，３５，３６，３７，３８・・・ボタン表示、４０・・・カーソル、６０・・・ウィンドウシステム、６１・・・動画データ処理プロセス、６２・・・音声データ処理プロセス、６３・・・スイッチ手段、６４・・・ユーザーインターフェース処理プロセス
【図１】
0003796757.tif 000002
【図２】
0003796757.tif 000003
【図３】
0003796757.tif 000004
【図４】
0003796757.tif 000005
【図５】
0003796757.tif 000006
【図６】
0003796757.tif 000007
【図７】
0003796757.tif 000008